【事件の表示】
　特願２０１４−５１７０４７「フリップポケット及び／又は対称なクラブセパレータを有するゴルフバッグ」拒絶査定不服審判事件〔平成２４年１２月２７日国際公開、ＷＯ２０１２／１７７５４１、平成２６年　８月２１日国内公表、特表２０１４−５１９９５４、請求項の数（１８）〕について、次のとおり審決する。
【結　論】
　原査定を取り消す。
　本願の発明は、特許すべきものとする。
【理　由】
第１　手続の経緯　
　本願は、２０１２年６月１８日（パリ条約による優先権主張２０１１年６月２４日、米国）を国際出願日とする出願であって、平成２７年６月１５日付けで手続補正書が提出され、同年１１月２４日付けで拒絶の査定がなされ、これに対し、平成２８年３月２５日付けで拒絶査定に対する審判請求がなされると同時に手続補正書が提出され、その後、当審において、同年１２月６日付けで拒絶の理由を通知したところ、これに対し、同年１２月１２日付けで意見書及び手続補正書が提出されたものである。　
　
　
第２　本願発明　
　本願に係る発明は、上記の平成２８年１２月１２日付けの手続補正書によって補正された特許請求の範囲の記載からみて、特許請求の範囲の請求項１乃至請求項１８に記載された事項により特定される、次のとおりのものと認める（以下請求項１乃至請求項１８に係る発明を、それぞれ、「本願発明１」乃至「本願発明１８」といい、これらを総称して「本願発明」という。）。
「【請求項１】　
　複数のゴルフクラブを収容するための主区画室を画定するゴルフバッグ本体部材であって、収容されるゴルフクラブシャフトを受けるための開口した第1の端部を含む、ゴルフバッグ本体部材；　
　ゴルフカートの固定ストラップがバッグに巻き付けられるように、めくり上げ位置と引下げ位置の間を移動できるフリップポケットであって、該フリップポケットが引下げ位置にあるときに該フリップポケットによって該固定ストラップが部分的に覆われる、フリップポケット；　
　該フリップポケットを該ゴルフバッグ本体部材と係合させるための係合システムであって、該フリップポケットの第1の部分を該ゴルフバッグ本体部材と取り外し不能に係合させ、且つ（a）該ゴルフバッグ本体部材の表面の一部分が覆われた状態にある閉塞位置と（b）該ゴルフバッグ本体部材の表面のその同じ部分が露出された状態にある開放位置との間を該フリップポケットの第2の部分が該フリップポケットの該第1の部分に対して移動できるようにする、係合システム；及び　
　前記ゴルフバッグ本体部材と係合されているか又は該ゴルフバッグ本体部材の一部として一体形成されている第1の滑り防止要素であって、前記フリップポケットが前記引下げ位置にあるときに該フリップポケットの裏面によって少なくとも部分的に覆われる、第1の滑り防止要素　
を含むゴルフバッグ。　
　　【請求項２】　
　前記第1の滑り防止要素が、前記フリップポケットが前記閉塞位置にあるときに該フリップポケットの裏面によって完全に覆われる、請求項1記載のゴルフバッグ。　
　　【請求項３】　
　複数のゴルフクラブを収容するための主区画室を画定する容器であって、収容されるゴルフクラブシャフトを受けるための開口した第1の端部を有する上端部を含む、容器；　
　該容器の該上端部に近接して該容器と取り外し不能に係合されているか又は該容器の一部として一体形成されている第1の部分と、該容器と取り外し不能に係合されてはおらず且つ該容器の一部として一体形成されてはいない第2の部分とを含むフリップポケットであって、ゴルフカートの固定ストラップがバッグに巻き付けられるように、めくり上げ位置と引下げ位置の間を移動でき、かつ該フリップポケットが引下げ位置にあるときに該フリップポケットによって該固定ストラップが部分的に覆われる、フリップポケット；　
　該フリップポケットを該引下げ位置に解放可能に保持するための解放可能コネクタシステムであって、（a）該フリップポケットの該第1の部分よりも該フリップポケットの該第2の部分の近くで該フリップポケットと係合されているか又は該フリップポケットの一部として一体形成されている第1の構成要素と、（b）該フリップポケットが該引下げ位置にあるときに該第1の構成要素と相互作用できるように所定の場所で該容器と係合されているか又は該容器の一部として一体形成されている第2の構成要素とを含む、解放可能コネクタシステム；および　
　該容器に係合されているか又は該フリックポケットの一部として一体形成されている第1の滑り防止要素であって、該フリップポケットが該引下げ位置にあるときに該フリップポケットにより少なくとも一部が覆われるように所定位置に位置付けられている、第1の滑り防止要素　
を含むゴルフバッグ。　
　　【請求項４】　
　前記第1の滑り防止要素が、前記フリップポケットが前記引下げ位置にあるときに該フリップポケットによって完全に覆われるように寸法付けられており且つ所定位置に位置付けられている、請求項3記載のゴルフバッグ。　
　　【請求項５】　
　前記容器と係合されているか又は該容器の一部として一体形成されている第2の滑り防止要素であって、前記フリップポケットの第1の側に位置付けられている、第2の滑り防止要素；及び　
　該容器と係合されているか又は該容器の一部として一体形成されている第3の滑り防止要素であって、該第1の側の反対側の該フリップポケットの第2の側に位置付けられている、第3の滑り防止要素　
を更に含む、請求項3記載のゴルフバッグ。　
　　【請求項６】　
　複数のゴルフクラブを収容するための主区画室を画定するゴルフバッグ本体部材であって、収容されるゴルフクラブシャフトを受けるための開口した第1の端部を含む、ゴルフバッグ本体部材；　
　該ゴルフバッグ本体部材と取り外し不能に係合されているか又は該ゴルフバッグ本体部材の一部として一体形成されている上端部と、該ゴルフバッグ本体部材と取り外し不能に係合されてはおらず且つ該ゴルフバッグ本体部材の一部として一体形成されてはいない下端部とを有するポケットであって、（a）該ポケットの第1の部分から下方に離間された場所にある第1の解放可能接続構造の第1の部分と、（b）該ポケットの該第1の部分から下方に離間された場所にある第2の解放可能接続構造の第1の部分とを含み、ゴルフカートの固定ストラップがバッグに巻き付けられるように、めくり上げ位置と引下げ位置との間を移動でき、かつ該ポケットが引下げ位置にあるときに該ポケットによって該固定ストラップが部分的に覆われる、ポケット；　
　該ゴルフバッグ本体部材と係合されているか又は該ゴルフバッグ本体部材の一部として一体形成されている該第1の解放可能接続構造の第2の部分であって、該ポケットが該引下げ位置にあるときに該ポケットに設けられている該第1の解放可能接続構造の該第1の部分と相互作用できるように、該ゴルフバッグ本体部材の所定の場所に設けられている、第1の解放可能接続構造の第2の部分；　
　該ゴルフバッグ本体部材と係合されているか又は該ゴルフバッグ本体部材の一部として一体形成されている該第2の解放可能接続構造の第2の部分であって、該ポケットが該引下げ位置にあるときに該ポケットに設けられている該第2の解放可能接続構造の該第1の部分と相互作用できるように、該ゴルフバッグ本体部材の所定の場所に設けられている、第2の解放可能接続構造の第2の部分；並びに　
　該ゴルフバッグ本体部材と係合されているか又は該ゴルフバッグ部材の一部として一体形成されている第1の滑り防止要素であって、該ポケットの裏面及び該第1の滑り防止要素の主面が、該ポケットが該引下げ位置にあるときにストラップのためのスロットをもたらすように配置されている、第1の滑り防止要素　
を含むゴルフバッグ。　
　　【請求項７】　
　前記ゴルフバッグ本体部材と係合されているか又は該ゴルフバッグ本体部材の一部として一体形成されている第2の滑り防止要素であって、前記ポケットの第1の側に位置付けられている、第2の滑り防止要素；及び　
　該ゴルフバッグ本体部材と係合されているか又は該ゴルフバッグ本体部材の一部として一体形成されている第3の滑り防止要素であって、該第1の側の反対側の該ポケットの第2の側に位置付けられている、第3の滑り防止要素　
を更に含む、請求項6記載のゴルフバッグ。　
　　【請求項８】　
　前記ポケットが前記引下げ位置にあるときに前記第2の滑り防止要素が該ポケットにより覆われず、該ポケットが該引下げ位置にあるときに前記第3の滑り防止要素が前記ポケットにより覆われない、請求項7記載のゴルフバッグ。　
　　【請求項９】　
　ポケットの第1の部分をゴルフバッグ本体部材と取り外し不能に係合させる工程；　
　解放可能接続構造の第1の部分を該ポケットと係合させる工程；　
　該解放可能接続構造の第2の部分を該ゴルフバッグ本体部材と係合させる工程であって、該ポケットが、ゴルフカートの固定ストラップがバッグに巻き付けられるように、めくり上げ位置と引下げ位置の間を移動できるとともに、該ポケットが引下げ位置にあるときに該ポケットによって該固定ストラップが部分的に覆われ、かつ（a）該解放可能接続構造の該第1の部分及び該解放可能接続構造の該第2の部分が互いに係合されている引下げ状態と、（b）該解放可能接続構造の該第1の部分及び該解放可能接続構造の該第2の部分が互いに離脱されているめくり上げ状態との間を選択的に変換でき、該めくり上げ状態において、該ポケットの該第1の部分が該ゴルフバッグ本体部材と取り外し不能に係合されたままである、工程；　
　前記ゴルフバッグ本体部材の表面に又は該ゴルフバッグ本体部材の一部として第1の滑り防止要素を設ける工程であって、該第1の滑り防止要素が、前記ポケットが前記引下げ位置にあるときに該ポケットにより少なくとも部分的に覆われるように所定位置に設けられる、工程　
を含む、ゴルフバッグを作製する方法。　
　　【請求項１０】　
　前記ゴルフバッグ本体部材の表面に又は該ゴルフバッグ本体部材の一部として第1の滑り防止要素を設ける工程を更に含み、該第1の滑り防止要素が、前記ポケットが前記引下げ状態にあるときに該ポケットにより完全に覆われるように寸法付けられ且つ所定位置に設けられる、請求項9記載のゴルフバッグを作製する方法。　
　　【請求項１１】　
　前記ゴルフバッグ本体部材の表面に又は該ゴルフバッグ本体部材の一部として第1の滑り防止要素を設ける工程であって、該第1の滑り防止要素が、前記ポケットが前記引下げ状態にあるときに該ポケットにより少なくとも部分的に覆われるように所定位置に設けられる、工程；　
　該ゴルフバッグ本体部材の表面に又は該ゴルフバッグ本体部材の一部として第2の滑り防止要素を設ける工程であって、該第2の滑り防止要素が該ポケットの第1の側に設けられる、工程；及び　
　該ゴルフバッグ本体部材の表面に又は該ゴルフバッグ本体部材の一部として第3の滑り防止要素を設ける工程であって、該第3の滑り防止要素が、該第1の側の反対側の該ポケットの第2の側に設けられる、工程　
を更に含む、請求項9記載のゴルフバッグを作製する方法。　
　　【請求項１２】　
　前記ポケットが前記引下げ状態にあるときに前記第2の滑り防止要素が該ポケットにより覆われず、該ポケットが該引下げ状態にあるときに前記第3の滑り防止要素が該ポケットにより覆われない、請求項11記載のゴルフバッグを作製する方法。　
　　【請求項１３】　
　ゴルフバッグ本体部材を用意する工程；及び　
　係合システムを使用してフリップポケットの第1の部分をゴルフバッグ本体部材と取り外し不能に係合させる工程であって、該フリップポケットがゴルフカートの固定ストラップがバッグに巻き付けられるように、めくり上げ位置と引下げ位置の間を移動できるとともに、該ポケットが引下げ位置にあるときに該ポケットによって該固定ストラップが部分的に覆われ、かつ該係合システムによって、（a）該ゴルフバッグ本体部材の表面の一部分が覆われた状態にある引下げ位置と（b）該ゴルフバッグ本体部材の表面のその同じ部分が露出された状態にあるめくり上げ位置との間を、該フリップポケットの第2の部分が該フリップポケットの該第1の部分に対して移動できるようになる、工程　
を含む、ゴルフバッグを作製する方法であって、　
　該ゴルフバッグ本体部材が第1の滑り防止要素であって、該フリックポケットが該引下げ位置にあるときに少なくとも部分的に該フリップポケットの後ろに位置付けられる、第1の滑り防止要素をさらに含む、
前記方法。　
　　【請求項１４】　
　ゴルフバッグを搬送装置の支持部の上に配置する工程であって、該ゴルフバッグが、（a）複数のゴルフクラブを収容するための主区画室を画定するゴルフバッグ本体部材と、（b）該ゴルフバッグ本体部材と取り外し不能に係合されているか又は該ゴルフバッグ本体部材の一部として一体形成されている第1の部分を有するポケットであって、該ポケットの該第1の部分から離間された場所にある解放可能接続構造の第1の部分を含む、ポケットと、（c）該ゴルフバッグ本体部材と係合されているか又は該ゴルフバッグ本体部材の一部として一体形成されている該解放可能接続構造の第2の部分とを含み、該ポケットがゴルフカートの固定ストラップがバッグに巻き付けられるように、めくり上げ位置と引下げ位置との間を上方向と下方向に選択的に移動できる、工程；　
　該ポケットを該めくり上げ位置に配置する工程；　
　固定ストラップを該ゴルフバッグ本体部材の少なくとも一部の周囲にわたって延在させる工程；　
　該固定ストラップを使用して該ゴルフバッグ本体部材を該搬送装置に固定する工程；　
　該固定ストラップを部分的に覆うように該ポケットを該引下げ位置へ移動させる工程；及び　
　該ポケットを該引下げ位置で解放可能に保持するために、該解放可能接続構造の該第1の部分と該解放可能接続構造の該第2の部分とを解放可能に係合させる工程を含む、ゴルフバッグを搬送装置に固定する方法であって、　
　該ゴルフバッグ本体部材が、該ポケットが引下げ位置にあるときに少なくとも部分的に該ポケットの後ろに位置付けられる、第1の滑り防止要素をさらに含み、かつ該延在させる工程が、該固定ストラップの一部を該第1の滑り防止要素と接触して配置することを含む、　
前記方法。　
　　【請求項１５】　
　前記ゴルフバッグ本体部材が、前記ポケットの第1の側に位置付けられている第2の滑り防止要素と、該第1の側の反対側の該ポケットの第2の側に位置付けられている第3の滑り防止要素とを更に含み、前記延在させる工程が、前記固定ストラップの一部を該第1の滑り防止要素、該第2の滑り防止要素、及び該第3の滑り防止要素と接触させた状態に配置することを含む、請求項14記載のゴルフバッグを搬送装置に固定する方法。　
　　【請求項１６】　
　前記ポケットが前記引下げ位置状態にあるときに前記第2の滑り防止要素が該ポケットにより覆われず、該ポケットが該引下げ位置にあるときに前記第3の滑り防止要素が該ポケットにより覆われない、請求項15記載のゴルフバッグを搬送装置に固定する方法。　
　　【請求項１７】　
　前記ゴルフバッグ本体部材が、前記第1の滑り防止要素とは別個の第2の滑り防止要素とを更に含み、前記延在させる工程が、前記固定ストラップの一部を該第1の滑り防止要素及び該第2の滑り防止要素と接触させた状態に配置することを含む、請求項14記載のゴルフバッグを搬送装置に固定する方法。
　　【請求項１８】　
　ゴルフバッグを搬送装置の支持部の上に配置する工程であって、該ゴルフバッグが、複数のゴルフクラブを収容するための主区画室を画定するゴルフバッグ本体部材と、フリップポケットと、該フリップポケットと該ゴルフバッグ本体部材とを係合させるための係合システムとを含み、該係合システムが、該フリップポケットの第1の部分と該ゴルフバッグ本体部材とを取り外し不能に係合させ、該係合システムによって、（a）該ゴルフバッグ本体部材の表面の一部分が覆われた状態にある引下げ位置と（b）該ゴルフバッグ本体部材の表面のその同じ部分が露出された状態にあるめくり上げ位置との間を上方向と下方向に、該フリップポケットの第2の部分が該フリップポケットの該第1の部分に対して移動できるようになる、工程；　
　該フリップポケットを該めくり上げ位置に配置する工程；　
　固定ストラップを該ゴルフバッグ本体部材の少なくとも一部の周囲にわたって延在させる工程；　
　該固定ストラップを使用して該ゴルフバッグ本体部材を該搬送装置に固定する工程；及び　
　該固定ストラップを部分的に覆うように該フリップポケットを該引下げ位置へ移動させる工程　
を含む、ゴルフバッグを搬送装置に固定する方法であって、　
　該ゴルフバッグ本体部材が、該ポケットが引下げ位置にあるときに少なくとも部分的に該ポケットの後ろに位置付けられる、第1の滑り防止要素をさらに含み、かつ該延在させる工程が、該固定ストラップの一部を該第1の滑り防止要素と接触して配置することを含む、　
前記方法。」　
　
　
第３　原査定の理由について　
１．原査定の理由の概要　
（１）（発明の単一性）この出願は、下記の点で特許法第３７条に規定する要件を満たしていない。　
　請求項５３〜７７に係る発明は、ゴルフバッグ本体部材と係合されている第１の部分と、開放位置と閉塞位置との間を移動できる裏側部分とを含むフリップポケットを含むという共通の技術的特徴を有している。しかしながら、当該技術的特徴は、下記引用例１，２，４等の開示内容に照らして、先行技術に対する貢献をもたらすものではないから、特別な技術的特徴であるとはいえない。また、請求項１に係る発明と、請求項５３〜７７に係る発明との間に、他に同一の又は対応する特別な技術的特徴は存在しない。　
　したがって、この出願は、特許法第３７条に規定する要件を満たしておらず、特許を受けることができない。　
（２）（進歩性）この出願の下記の請求項に係る発明は、その優先基準日前に日本国内又は外国において、頒布された下記の刊行物に記載された発明又は電気通信回線を通じて公衆に利用可能となった発明に基いて、その優先基準日前にその発明の属する技術の分野における通常の知識を有する者が容易に発明をすることができたものであるから、特許法第２９条第２項の規定により特許を受けることができない。　
・請求項１〜５２　
・引用例１〜３　
＜引用文献等一覧＞　
（１）特開２００１−０９５９６５号公報　
（２）特開２００７−１３５６１８号公報　
（３）実願昭４９−１０３５１５号（実開昭５１−０３１６５２号）のマイクロフィルム　
（４）特開２００９−１１８９３９号公報　
　
２．原査定の理由の判断　
（１）発明の単一性について　
　上記「第２　本願発明」のとおり、平成２７年６月１５日付け手続補正書に記載の請求項５３乃至請求項７７は削除されたことにより、本願の単一性違反は解消された。　
　
（２）刊行物の記載事項　
ア　原査定で引用され、本願の優先権主張日前の平成１３年４月１０日に頒布された特開２００１−９５９６５号公報（以下「刊行物１」という。）には、以下の記載がある。（下線は審決で付した。以下同じ。）　
（ア）「【請求項１】　
前壁、右壁、後壁及び左壁からなる胴部と、前壁に取り付けられた収納部と、前壁と右壁との境界の近傍に取り付けられた右取手と、前壁と左壁との境界の近傍に取り付けられた左取手とを備えているキャディバッグ
【請求項２】　肩掛けベルトをさらに備えており、この肩掛けベルトが右壁又は左壁に位置する請求項１に記載のキャディバッグ。　
【請求項３】　前壁に取り付けられた収納部の、全収納部に占める面積の比率が７０％以上である請求項１又は請求項２に記載のキャディバッグ。　
【請求項４】　
前壁に、胴部に対して着脱自在な収納部が設けられてる請求項１から請求項３のいずれか１項に記載のキャディバッグ
【請求項５】　
前壁と収納部との間に間隙が設けられ、カートに固定される際の固定ベルトがこの間隙を通過するように構成された請求項１から請求項４のいずれか１項に記載のキャディバッグ
（イ）「【０００１】　
【発明の属する技術分野】本発明は、ゴルフに使用されるキャディバッグに関する。」　
（ウ）「【０００７】　
【発明が解決しようとする課題】本発明はこのような問題に鑑みてなされたものであり、カートに載置された場合でも用具の出し入れが可能な収納部の収納力が高められたキャディバッグの提供をその目的とする。」　
（エ）「【００１７】この
キャディバッグ１は、胴部２、底部３及び口枠４を備えている
【００１８】右取手９と左取手１０とは離れて取り付けられているので、両者の間に第一収納部１１が配置され、前壁５の収納スペースが高められている。第一収納部１１にはファスナー１４が取り付けられており、このファスナー１４のスライダー１５が移動することによって第一収納部１１が開閉し、用具の出し入れがなされる。同様に、第二収納部１２及び第三収納部１３にもファスナー１４が設けられており、スライダー１５の移動によって開閉がなされる。　
【００１９】右壁６、後壁７及び左壁８には収納部は設けられていない。すなわち、全ての収納部は前壁５に集中している。前壁５は、キャディバッグ１がカートに載置される際に正面となる部分であるので、プレイ中でも第一収納部１１、第二収納部１２及び第三収納部１３からの用具の取り出しが可能である。右壁６、後壁７又は左壁８に補助的に収納部が設けられてもよいが、前壁５以外の収納部からは用具の取り出しが困難であるので、収納部はなるべく前壁５に設けられるのが効率的である。具体的には、前壁５に取り付けられた収納部の面積（すなわち第一収納部１１、第二収納部１２及び第三収納部１３の面積の合計）の全収納部の面積に占める比率は７０％以上が好ましく、８０％以上が特に好ましく、９０％以上がさらに好ましい。また、右壁６及び左壁８の収納部はカートに載置された際に左右方向のスペースをとってしまい、１台のカートに積み込めるキャディバッグ１の数を少なくしてしまうおそれがあるので、右壁６及び左壁８には全く収納部が設けられないのが理想的である。　
【００２０】前壁５にはなるべく多くの収納部が設けられるのが、収納力向上の観点から好ましい。具体的には、前壁５に取り付けられた収納部の面積の前壁５の面積に占める比率は５０％以上が好ましく、６０％以上が特に好ましく、８０％以上がさらに好ましい。なお、図１及び図２に示されたキャディバッグ１では、この比率は８３％である。　
【００２１】第一収納部１１は、バックル１６によって前壁５に取り付けられている。バックル１６の係止の解除によって、第一収納部１１が前壁５から取り外される。前壁５に取り付けられた第一収納部１１に紙幣や硬貨が収納されることにより、プレー中も必要に応じてゴルファーがこれらを取り出すことができ、例えば茶店で飲み物を購入することができる。また、ゴルファーが例えばクラブハウスで休憩する際には、前壁５から第一収納部１１を取り外して、硬貨や紙幣を第一収納部１１ごと携帯することができる。　
【００２２】第一収納部１１はバックル１６によってのみ固定されているので、前壁５と第一収納部１１の裏面との間には間隙が形成され得る。キャディバッグ１がカートに固定される際には、固定ベルトがこの間隙と右取手９と左取手１０とに通される。従って、第一収納部１１が固定ベルトで押さえつけられることがなく、第一収納部１１の収納力が維持される。また、固定ベルトが巻かれた状態のままで、第一収納部１１の前壁５との着脱がなされ得る。」　
（オ）「【００３０】図３は、図１のキャディバッグ１の口枠４が示された平面図である。この図において左側が前壁５側であり、右側が後壁７側である。この
口枠４は、本体２２、第一仕切材２３、第二仕切材２４及び第三仕切材２５を備えている。通常、第一仕切材２３よりも左側にウッド型ゴルフクラブが差し込まれ、第一仕切材２３よりも右側にアイアンゴルフクラブが差し込まれる。第三仕切材２５には、「ＷＯＯＤ」と記載された矢印２６と「ＩＲＯＮ」と記載された矢印２７とが表示されている。これらの矢印２６、２７によって、ゴルファーがゴルフクラブを所定位置に差し込むことが促される。
（カ）上記（エ）【００２１】及び図１より、第一収納部は、バックルによって胴部の前壁５にぶら下がるように取り付けられるものであって、めくり上げも引下げも可能であるから、「
収納部は、めくり上げ位置と引下げ位置の間を移動できる
（キ）上記（オ）及び図４より、
複数のゴルフクラブを収容するための胴部２
ゴルフクラブシャフトを受けるための口枠４
　
　そうすると、上記（ア）乃至（キ）の記載事項から、刊行物１には、次の発明（以下「引用発明１」という。）が記載されているものと認められる。
「複数のゴルフクラブを収容するための、前壁、右壁、後壁及び左壁からなる胴部と、前壁に取り付けられた収納部と、前壁と右壁との境界の近傍に取り付けられた右取手と、前壁と左壁との境界の近傍に取り付けられた左取手とを備えているキャディバッグであって、　
前壁に、胴部に対して着脱自在な収納部が設けられ、　
前壁と収納部との間に間隙が設けられ、カートに固定される際の固定ベルトがこの間隙を通過するように構成され、　
キャディバッグは、胴部、底部及びゴルフクラブシャフトを受けるための口枠を備え、　
口枠は、本体、第一仕切材、第二仕切材及び第三仕切材を備え、通常、第一仕切材よりも左側にウッド型ゴルフクラブが差し込まれ、第一仕切材よりも右側にアイアンゴルフクラブが差し込まれ、第三仕切材には、「ＷＯＯＤ」と記載された矢印と「ＩＲＯＮ」と記載された矢印とが表示され、これらの矢印によって、ゴルファーがゴルフクラブを所定位置に差し込むことが促され、　
収納部は、めくり上げ位置と引下げ位置の間を移動できる、キャディバッグ。」　
　
イ　原査定で引用され、本願の優先権主張日前の平成１９年６月７日に頒布された特開２００７−１３５６１８号公報（以下「刊行物２」という。）には、以下の記載がある。　
（ア）「【請求項１】
　
筒状の胴体部（２）と、
　前記胴体部（２）に設けられ、折り畳み可能な帯状部（３）と、
　前記胴体部（２）に設けられ、折り畳まれた前記帯状部（３）の少なくとも一部を覆い、前記帯状部（３）を固定可能な可動収納部（４）と、
　を備えたゴルフバッグ（１）
【請求項２】
　前記帯状部（３）を折り畳んだ際に、該帯状部（３）の一部を前記帯状部（３）の他の部分に対し、固定することで、前記帯状部（３）を折り畳んだ状態で保持可能な固定手段（１１）をさらに備えた、請求項１に記載のゴルフバッグ（１）。
【請求項３】
　前記可動収納部（４）は、第１可動収納部（４Ａ）と第２可動収納部（４Ｂ）とを含み、
　前記帯状部（３）は、前記第１可動収納部（４Ａ）と前記第２可動収納部（４Ｂ）との間に延在するように設けられ、
　前記第１可動収納部（４Ａ）と前記第２可動収納部（４Ｂ）とは、折り畳んだ状態の前記帯状部（３）を前記第１可動収納部（４Ａ）と前記第２可動収納部（４Ｂ）とで固定した状態で固定可能な固定部（１０ａ，１０ｂ）を有する、請求項１または請求項２に記載のゴルフバッグ（１）。
【請求項４】
　前記可動収納部（４）を用いて、前記帯状部（３）を固定した際に、前記可動収納部（４）の表面の少なくとも一部に透光性を有する透光性部材（４ｃ）を設けた、請求項１から請求項３のいずれかに記載のゴルフバッグ（１）。
【請求項５】
　筒状の胴体部（２）と、
　前記胴体部（２）に設けられ、折り畳み可能な帯状部（３）と、
　前記帯状部（３）を折り畳まれた状態で保持するための第１固定手段（１１）と、
　前記折り畳まれた状態の前記帯状部（３）を前記胴体部（２）に固定することで、前記帯状部が揺れ動くのを抑制可能な第２固定手段（３Ｂ）と、
　を備えたゴルフバッグ（１）。」　
（イ）「【技術分野】
【０００１】
　本発明はゴルフクラブを収納するゴルフバッグ（キャディバッグ）に関し、特に、帯状部を折り畳み固定可能なゴルフバッグに関する。」　
（ウ）「【発明が解決しようとする課題】
【０００４】
　しかし、上記従来のゴルフバッグにおいては、ボール等の収納物を出し入れする際に、ポケット等の収納部上に帯状部が覆い被さり、帯状部が邪魔になるという問題があった。
【０００５】
　本発明は、上記のような課題に鑑みてなされたものであり、その目的は、肩掛けベルト等の帯状部がゴルフバッグ本体に設けられた収納部上に覆い被さることを抑制して、収納物の出し入れを良好に行なうことができるゴルフバッグを提供することである。」　
（エ）「【０００８】
　図１から図８を用いて、本実施の形態に係るゴルフバッグ１について説明する。図１は、本実施の形態に係るゴルフバッグ１の正面図であり、肩掛けベルト３を用いて、ゴルフバッグ１を持ち運び可能な状態を示した図である。この図１に示されるように、ゴルフバッグ１は、ゴルフクラブを挿入可能な開口部Ｐが形成され、ゴルフクラブを収納する筒状の胴体部２と、この胴体部２に設けられ、折り畳み可能な肩掛けベルト（帯状部）３と、胴体部２に設けられた可動収納部４Ａ，４Ｂとを備えている。
【０００９】
　肩掛けベルト３は、胴体部２の長手方向に延在し、胴体部２の上端部側から下端部側に亘って長尺に設けられており、両端部が胴体部２に接続されている。このような肩掛けベルト３を肩にかけて、ゴルフバッグ１を持ち運びすることができる。この肩掛けベルト３はクッション等を有するパッド部３Ａと、パッド部３Ａの一方の端部に設けられ、胴体部２の上端部側に接続されたベルト３Ｅと、パッド部３Ａの他方の端部に設けられ、胴体部２に接続されたベルト３Ｄとを備えている。パッド部３Ａは、パッド部３Ａの長手方向の中央部に形成された折り返し部３Ｃにおいて、折り返し可能とされている。なお、折り返し部３Ｃは、パッド部３Ａの中央部に１つ形成されている場合に限られず、パッド部３Ａ
に複数形成されてもよく、また、パッド部３Ａ自体を丸められるようにしてもよい。すなわち、パッド部３Ａまたは肩掛けベルト３自体が、長手方向の長さが短くなるようにコンパクトにすることが可能なように形成されておればよい。
【００１０】
　この肩掛けベルト３には、パッド部３Ａが折り畳まれた状態を保持する固定手段（第１固定手段）１１が設けられている。この固定手段１１は、パッド部３Ａに設けられた磁石等を有する固定部１１ａと、パッド部３Ａを折り畳んだ際に、固定部１１ａと対向する部分に設けられ、固定部１１ａに対応する固定部１１ｂとを備えている。この固定部１１ａ、１１ｂは、互いに引かれあうように設けられた磁石であってもよく、他に、たとえば、面ファスナ、ホック、ボタン等の互いに係合可能な係合部とされてもよい。なお、固定部１１ａ、１１ｂは、パッド部３Ａの両端部に設けられているが、この位置に限られない。
【００１１】
　可動収納部４Ａ，４Ｂは、肩掛けベルト３の長手方向と交差する肩掛けベルト３の幅方向から肩掛けベルト３を挟みこむように配置されており、肩掛けベルト３が可動収納部４Ａ，４Ｂ間に延在するように配置されている。また、この可動収納部４Ａ，４Ｂは、パッド部３Ａの折り返し部３Ｃより、胴体部２の上端部側に位置しており、パッド部３Ａが折り畳まれた際においても、パッド部３Ａは、可動収納部４Ａ，４Ｂ間に位置する。可動収納部４Ａ，４Ｂの周辺部のうち、肩掛けベルト３に隣接して、肩掛けベルト３に沿うよう延在する周辺部が、胴体部２の表面に縫着され固定されており、この周辺部の他の部分では、可動収納部４Ａ、４Ｂと胴体部２の表面とが着脱可能なように接続された部分が設けられている。
【００１２】
　このため、
可動収納部４Ａ，４Ｂは、肩掛けベルト３に沿って延在する周辺部を中心に回動して、胴体部２の表面に対して立ち上がり可能とされていると共に、胴体部２の表面に固定可能とされている
　
　そうすると、上記（ア）乃至（エ）の記載事項から、刊行物２には、次の発明（以下「引用発明２」という。）が記載されているものと認められる。
「筒状の胴体部と、　
　前記胴体部に設けられ、折り畳み可能な帯状部と、　
　前記胴体部に設けられ、折り畳まれた前記帯状部の少なくとも一部を覆い、前記帯状部を固定可能な可動収納部と、　
　可動収納部は、肩掛けベルトに沿って延在する周辺部を中心に回動して、胴体部の表面に対して立ち上がり可能とされていると共に、胴体部の表面に固定可能とされている、ゴルフバッグ。」　
　
ウ　原査定で引用され、本願の優先権主張日前の昭和５１年３月８日に頒布された実願昭４９−１０３５１５号（実開昭５１−３１６５２号）号のマイクロフィルム（以下「刊行物３」という。）には、以下の記載がある。　
（ア）「実用新案登録請求の範囲　
　
ゴルフバツグ本体の所要個所に小型バツグを着脱自在に取付けて成るゴルフバツグ
考案の詳細な説明　
　本考案はゴルフバツグの改良に関するものであって、図示せる実施例は前面の上辺に取手(1)および肩掛バンド(2)を、同じく前面の下辺および後面にポケツト(3)(4)を取付けたゴルフバツグ本体(5)を構成し、このゴルフバツグ本体(5)の側面上縁部の外側に二つ折りの短片(6)を配して其の基端を雌型ホツク(7)付きのリベツトを以て止着し、当該短片(6)の先端に雄型ホツク(8)を取付けると共にゴルフバツグ本体(5)の側面上辺部外側に小型のハンドバツグ(9)を配し、このハンドバツグ(9)に込ける提手(9)'を上記の短片(6)に挟入して雄型ホツク(8)を雌型ホツク(7)に係止することによってゴルフバツグ本体(5)の側面にハンドバツグ(9)を吊下げると共にこれ等ゴルフバツグ本体(5)、ハンドバツグ(9)に於て
相互に対面する個所に相互に係合するベルベツト式フアスナー(10)(10)’(11)(11)’を取付け仍つてハンドバツグ(9)の揺動を阻止するようにしたものである
　
　そうすると、上記（ア）の記載事項から、刊行物３には、次の発明（以下「引用発明３」という。）が記載されているものと認められる。
「ゴルフバツグ本体の所要個所に小型バツグを着脱自在に取付けて成るゴルフバツグであって、　
　相互に対面する個所に相互に係合するベルベツト式フアスナーを取付け仍つてハンドバツグの揺動を阻止するようにした、ゴルフバツグ。」　
　
エ　原査定で引用され、本願の優先権主張日前の平成２１年６月４日に頒布された特開２００９−１１８９３９号公報（以下「刊行物４」という。）には、以下の記載がある。　
（ア）「【請求項１】　
　筒状に形成されており、上部にポケット収容部を備えたバッグ本体と、　
　前記ポケット収容部に一端部の少なくとも一部が固定された状態で収容されており、使用時に引き出されて、他端部の上部に設けられた固定手段がバッグ本体に固定されるポケット部と、　
　を備えていることを特徴とするキャディバッグ。　
　…　
【請求項３】　
　ポケット部の一端部が、ポケット収容部内部のバッグ本体側の開口部の近傍に縫いつけられて固定されていることを特徴とする請求項１又は２に記載のキャディバッグ。」　
（イ）「【００２９】　
　ポケット部は略四角形であって、その一方の側辺が、ポケット収容部内部のバッグ本体側の開口部の縁部に縫いつけられている。
ポケット部の他方の先端側の側辺上端部には、固定手段が設けられている。
【００３０】　
　ポケット部に設けられる固定手段として最も好適なものは、ナスカン、カラビナ、スナップフック等の連結具である。
これらの連結部は、バッグ本体の口枠下部に取り付けられている環状部に連結される。
　
　そうすると、上記（ア）及び（イ）の記載事項から、刊行物４には、次の発明（以下「引用発明４」という。）が記載されているものと認められる。
「筒状に形成されており、上部にポケット収容部を備えたバッグ本体と、　
　前記ポケット収容部に一端部の少なくとも一部が固定された状態で収容されており、使用時に引き出されて、他端部の上部に設けられた固定手段がバッグ本体に固定されるポケット部と、　
　を備えているキャディバッグであって、　
　ポケット部の一端部が、ポケット収容部内部のバッグ本体側の開口部の近傍に縫いつけられて固定されており、　
　ポケット部の他方の先端側の側辺上端部には、固定手段が設けられており、　
　これらの連結部は、バッグ本体の口枠下部に取り付けられている環状部に連結されている、キャディバッグ。」　
　
オ　前置報告書に引用され、本願の優先権主張日前の平成１１年３月２日に頒布された特開平１１−５７０９１号公報（以下「刊行物５」という。）には、以下の記載がある。　
（ア）「【００１６】ここで、ゴルフバッグ４００は、車輪軸１４上に直接載置された状態で支持部材１８に支えられる。そして、この載置状態を安定して保持するための部材としてバッグ保持ベルト２０が設けられている。このバッグ保持ベルト２０は、Ｌ字部材１６の立設部の間を一方側から他方側へ掛け渡されるもので、一端が何れかの立設部に取付けられ、自由端には接着布２２などが施されている。これにより、
車輪軸１４上に載置されたゴルフバッグの外周部に巻回され、他方側のＬ字部材の立設部に掛け渡されてゴルフバッグを適度に締め付けた状態で保持することができるものである
バッグ保持ベルト２０の裏面側には、
滑り止め部材としてのゴムプレート２１が所定箇所に貼り付けられており
　
　そうすると、上記（ア）の記載事項から、刊行物５には、次の発明（以下「引用発明５」という。）が記載されているものと認められる。
「裏面側には、滑り止め部材としてのゴムプレートが所定箇所に貼り付けられているバッグ保持ベルトが外周部に巻回され、適度に締め付けた状態で保持することができる、車輪軸上に載置された、ゴルフバッグ。」　
　
オ　前置報告書に引用され、本願の優先権主張日前の平成１３年３月１６日に頒布された実用新案登録第３０７５９４３号（以下「刊行物６」という。）には、以下の記載がある。　
（ア）「【実用新案登録請求の範囲】　
【請求項１】（イ）
滑り止めの付いた板１に車輪２を設ける。
（ロ）
滑り止めの付いた板１にベルト３を設ける。
（ハ）
ベルト３にゴルフバッグを締め付ける金具４を設ける。
以上の如く構成された、装着型車付きゴルフバッグ運搬器具
　
　そうすると、上記（ア）の記載事項から、刊行物６には、次の発明（以下「引用発明６」という。）が記載されているものと認められる。
「滑り止めの付いた板に車輪を設け、滑り止めの付いた板にベルトを設け、ベルトにゴルフバッグを締め付ける金具を設けた、装着型車付きゴルフバッグ運搬器具。」　
　
エ　前置報告書に引用され、本願の優先権主張日前の１９９９年２月１６日に頒布された米国特許第５８７１１８３号明細書（以下「刊行物７」という。）には、以下の記載がある。（なお、原文の後の括弧｛｝内に記載したものは、当審での訳文である。）　
（ア）「Referring to FIGS. 16 and 17, which illustrate a strapping system for strapping the bag 12 of FIG. 1 in the lower cradle 30 of the cart of FIG. 1, the strapping system preferably utilizes a strap 92 of essentially the same structure as the strap of the single strap embodiment of FIG. 14, the strap having back to back loop tapes with loop material on opposite sides of the strap and extending for essentially the length of the sides and hook end segments with the hook end segments having their hooks for interfacing with the loop material of the strap protruding outwardly of the same side of the strap as in the strap embodiment of FIG. 14. The bottom collar of the bag 12 does not have a male snap fastener part and a hook tape may be adhered to the cradle as in the embodiment of FIG. 15, but preferably a hook tape 94 is attached to the lower collar of the bag 12, so as to engage the strap 92 when the bag is in the cradle and hold the bottom of the bag from rotating relative to the strapping. While the strap 92 is of the same construction as the strap 47e of FIG. 14, the strap 47e and the other straps described for use with upper cradle preferably have a width of essentially 1 inch while the strap 92 for the lower cradle preferably has a width of essentially 3/4 inch so as to be better accommodated by the smaller strap slots 36c, 36d normally present in the arms of the lower cradle.」（１４欄５５行〜１５欄１１行）　
｛図16および図17を参照すると、図1のカートの下のクレードル30における、図1のバッグ12を結束するための結束システムが示され、ストラップシステムは、好ましくは、図14に示す単一のストラップの実施形態のストラップと実質的に同じ構造のストラップ92を使用し、ストラップは、ストラップの両側にループ材料とループテープを背中合わせに有し、かつ本質的にするための辺の長さを拡張し、フック端部セグメントはストラップ突出ループ材料とインターフェースするためのそれらのフックを有する端末セグメントをフック図14のストラップ実施形態のように、ストラップの同じ側の外側へ、バッグ12の底のカラーは、雄スナップファスナ−部分を持たず、フックテープは、図１の実施形態のようにクレードルに接着することができます。
バッグがクレードルにあるときにストラップ92を係合し、ストラップに相対回転バッグの底部を保持するように15、好ましくはフックテープ94は、バッグ12の下部カラーに取り付けられています
　
　そうすると、上記（ア）の記載事項から、刊行物７には、次の発明（以下「引用発明７」という。）が記載されているものと認められる。
「クレードルにあるときにストラップを係合し、ストラップに、底部を保持するように、フックテープを、下部カラーに取り付けた、バッグ。」　
　
（３）対比　
　そこで、本願発明と引用発明１とを対比すると、　
ア　後者の「複数のゴルフクラブ」、「胴部」、「ゴルフクラブシャフトを受けるための口枠」、「カート」、「固定ベルト」、「めくり上げ位置と引下げ位置の間を移動できる、収納部」、及び「キャディバッグ」は、それぞれ、前者の「複数のゴルフクラブ」、「ゴルフバッグ本体部材」、「収容されるゴルフクラブシャフトを受けるための開口した第1の端部」、「ゴルフカート」、「固定ストラップ」、「めくり上げ位置と引下げ位置の間を移動できるフリップポケット」、及び「ゴルフバッグ」に相当する。　
イ　後者の「キャディバッグ」は、「口枠」を備え、「口枠は、本体、第一仕切材、第二仕切材及び第三仕切材を備え、通常、第一仕切材よりも左側にウッド型ゴルフクラブが差し込まれ、第一仕切材よりも右側にアイアンゴルフクラブが差し込まれ、第三仕切材には、「ＷＯＯＤ」と記載された矢印と「ＩＲＯＮ」と記載された矢印とが表示され、これらの矢印によって、ゴルファーがゴルフクラブを所定位置に差し込むことが促され」るものであるから、後者の「キャディバッグ」は、「複数のゴルフクラブを収容するための主区画室を画定する」「胴部」を備えるといえる。　
ウ　後者は、「前壁と収納部との間に間隙が設けられ、カートに固定される際の固定ベルトがこの間隙を通過するように構成され」るものであるから、後者の「収容部」は、「ゴルフカートの固定ストラップがバッグに巻き付けられるように、めくり上げ位置と引下げ位置の間を移動できるフリップポケットであって、該フリップポケットが引下げ位置にあるときに該フリップポケットによって該固定ストラップが部分的に覆われる、フリップポケット」といえる。　
エ　後者の「収納部」は、「前壁に、胴部に対して着脱自在な」ものであるから、後者の「キャディバッグ」は、「フリップポケットを該ゴルフバッグ本体部材と係合させるための係合システム」を有するといえる。　
　
　したがって、両者は、　
「複数のゴルフクラブを収容するための主区画室を画定するゴルフバッグ本体部材であって、収容されるゴルフクラブシャフトを受けるための開口した第1の端部を含む、ゴルフバッグ本体部材；　
　ゴルフカートの固定ストラップがバッグに巻き付けられるように、めくり上げ位置と引下げ位置の間を移動できるフリップポケットであって、該フリップポケットが引下げ位置にあるときに該フリップポケットによって該固定ストラップが部分的に覆われる、フリップポケット；　
　該フリップポケットを該ゴルフバッグ本体部材と係合させるための係合システム、　
を含むゴルフバッグ。」　
の点で一致し、以下の点で相違する。　
　
［相違点１］　
　本願発明１は、「フリップポケットの第1の部分を該ゴルフバッグ本体部材と取り外し不能に係合させ、且つ（a）該ゴルフバッグ本体部材の表面の一部分が覆われた状態にある閉塞位置と（b）該ゴルフバッグ本体部材の表面のその同じ部分が露出された状態にある開放位置との間を該フリップポケットの第2の部分が該フリップポケットの該第1の部分に対して移動できるようにする、係合システム」を有するのに対して、引用発明１は、そのようなものを有していない点。　
　
［相違点２］　
　本願発明１は、「ゴルフバッグ本体部材と係合されているか又は該ゴルフバッグ本体部材の一部として一体形成されている第1の滑り防止要素であって、フリップポケットが引下げ位置にあるときに該フリップポケットの裏面によって少なくとも部分的に覆われる、第1の滑り防止要素」を有しているのに対し、引用発明１では、そのようなものを有していない点。　
　
（４）判断　
　上記［相違点２］について以下検討する。　
　引用発明２の「ゴルフバッグ」は、本願発明１の「ゴルフバッグ」に相当する。　
　引用発明３の「ゴルフバツグ」は、本願発明１の「ゴルフバッグ」に相当する。　
　しかしながら、引用発明２、及び引用発明３には、上記相違点２に係る本願発明１の発明特定事項は示されていない。　
　そうすると、原査定で引用されたいずれの引用文献にも、上記相違点２に係る本願発明１の発明特定事項は、示されていないし、また、当業者にとって設計事項であるとする根拠もない。　
　
　そして、本願発明１は、上記相違点２に係る本願発明１の発明特定事項を具備することにより、本願明細書に記載の「第1の滑り防止要素は、ゴルフバッグが搬送装置（例えば、手動牽引カート又は手動押圧カート、電動カートなど）によって搬送されているときにゴルフバッグが回転又はねじれを起こしにくいようにストラップをゴルフバッグに対して所定位置に保持するのに役立つ。」（【００１８】）という作用効果を奏するものである。　
　
　なお、引用発明４の「キャディバッグ」、及び「ポケット部」は、それぞれ、本願発明１の「ゴルフバッグ」、及び「フリップポケット」に相当する。　
　また、引用発明５の「ゴルフバッグ」、「滑り止め部材としてのゴムプレート」、及び「バッグ保持ベルト」は、それぞれ、本願発明１の「ゴルフバッグ」、「第１の滑り止め要素」、及び「固定ストラップ」に相当する。　
　また、引用発明６の「ゴルフバッグ」、「滑り止め」、及び「ベルト」は、それぞれ、本願発明１の「ゴルフバッグ」、「第１の滑り止め要素」、及び「固定ストラップ」に相当する。　
　また、引用発明７の「バッグ」、「フックテープ」、及び「ストラップ」は、それぞれ、本願発明１の「ゴルフバッグ」、「第１の滑り止め要素」、及び「固定ストラップ」に相当する。　
　しかし、いずれの引用発明にも、上記相違点２に係る本願発明１の発明特定事項の「フリップポケットが引下げ位置にあるときに該フリップポケットの裏面によって少なくとも部分的に覆われる、第1の滑り防止要素」の点は、示されていない。　
　
　したがって、本願発明１は、引用発明１乃至引用発明３に基づいて、当業者が容易に発明をすることができたものとすることはできない。　
　
（５）本願発明２乃至本願発明１８について　
　本願発明２は、本願発明１の発明特定事項に加えてさらなる発明特定事項を追加して限定を付したものであり、本願発明３は、本願発明１の「ゴルフバッグ」における「ゴルフバッグ本体部材」、及び「係合システム」を、「容器」、及び「解放可能コネクタ」としたものであって、実質的に、本願発明１と相違しないし、本願発明４及び５は、本願発明３の発明特定事項に加えてさらなる発明特定事項を追加して限定を付したものであり、本願発明６は、本願発明１の「ゴルフバッグ」の「係合システム」を「第1の解放可能接続構造」と「第2の解放可能接続構造」に分け、さらなる発明特定事項を追加して限定を付したものであり、本願発明７は、本願発明６の発明特定事項に加えてさらなる発明特定事項を追加して限定を付したものであり、本願発明８は、本願発明７の発明特定事項に加えてさらなる発明特定事項を追加して限定を付したものであり、本願発明９は、本願発明６の「ゴルフバッグ」を「ゴルフバッグの作製する方法」とカテゴリーを変更したものであって、実質的に、本願発明１と相違しないし、本願発明１０及び１１は、本願発明９の発明特定事項に加えてさらなる発明特定事項を追加して限定を付したものであり、本願発明１２は、本願発明１１の発明特定事項に加えてさらなる発明特定事項を追加して限定を付したものであり、本願発明１３は、本願発明１の「ゴルフバッグ」を「ゴルフバッグの作製する方法」とカテゴリーを変更したものであって、実質的に、本願発明１と相違しないし、本願発明１８は、本願発明１３の「ゴルフバッグを作製する方法」を「ゴルフバッグを搬送装置に固定する方法」としたものであって、実質的に、本願発明１３と相違しないし、本願発明１４は、本願発明１８の「ゴルフバッグを搬送装置に固定する方法」に、さらなる発明特定事項を追加して限定を付したものであり、本願発明１５及び１７は、本願発明１４の発明特定事項に、さらなる発明特定事項を追加して限定を付したものであり、本願発明１６は、本願発明１５の発明特定事項に、さらなる発明特定事項を追加して限定を付したものであるから、本願発明２乃至１８は、上記（４）と同様の理由により、引用発明１乃至引用発明３に基づいて、当業者が容易に発明をすることができたものとすることはできない。　
　
　
第４　当審拒絶理由について　
１．平成２８年１２月６日付け当審拒絶理由の概要　
（１）この出願は、特許請求の範囲の記載が下記の点で、特許法第３６条第６項第１号に規定する要件を満たしていない。　
　請求項９の特定では滑り防止要素が特定されていないから、課題を解決するための手段が不明である。　よって、請求項９に係る発明は、発明の詳細な説明に記載したものでない。　
（２）この出願は、特許請求の範囲の記載が下記の点で、特許法第３６条第６項第２号に規定する要件を満たしていない。　
　請求項１，３，６，９，１４，１５，１９の特定では、固定ストラップとフリップポケットの配置位置関係（特に、フリップポケットが引下げ位置にある時の関係）が不明である。　
　よって、請求項１〜１９に係る発明は明確でない。　
　
　
３．当審拒絶理由の判断　
　平成２８年１２月１２日に提出された手続補正書において、上記第２のとおり、請求項１乃至請求項１８の記載は補正されたことにより、請求項１乃至請求項１８に係る発明の記載不備は解消された。　
　したがって、当審拒絶理由は解消した。　
　
　
第５　むすび　
　以上のとおりであるから、本願発明１乃至本願発明１８は、引用発明１乃至引用発明３に基づいて、当業者が容易に発明をすることができたとものとすることはできないから、原査定の理由によっては、本願を拒絶することはできない。　
　
　また、他に本願を拒絶すべき理由を発見しない。　
　
　よって、結論のとおり審決する。